(57)【要約】【課題】光源光の利用効率を改善することで所望の方向での輝度を効果的に改善する。【解決手段】表示面１１を有する車載の表示装置１０は、表示パネル１５と、表示パネル１５の背面側に配置され、表示パネル１５を背面側から面状に照らす面光源装置２０と、表示パネル１５と面光源装置２０とを接合する粘着層１７と、を備える。表示面１１から出光する光の全方向における輝度の角度分布において、ピーク輝度が得られる方向から４０°傾斜した少なくともいずれかの方向での輝度が、ピーク輝度の６．５％以下となっている。【選択図】図１
2018194795.tif 000002
【特許請求の範囲】
【請求項１】
表示面を有する車載の表示装置であって、
表示パネルと、
前記表示パネルの背面側に配置され、前記表示パネルを背面側から面状に照らす面光源装置と、
前記表示パネルを前記面光源装置に接合する粘着層と、を備え、
前記表示面から出光する光の全方向における輝度の角度分布において、ピーク輝度が得られる方向から４０°傾斜した少なくともいずれかの方向での輝度が、前記ピーク輝度の６．５％以下となっている、表示装置。
【請求項２】
表示面を有する車載の表示装置であって、
表示パネルと、
前記表示パネルの背面側に配置され、前記表示パネルを背面側から面状に照らす面光源装置と、
前記表示パネルを前記面光源装置に接合する粘着層と、を備え、
前記面光源装置は、出光面と前記出光面に対向して配置された裏面と前記出光面および前記裏面の間に位置する側面とを有する導光板と、前記側面の一部に対面して配置された光源と、前記導光板の前記出光面に対面して配置された光学シートと、前記導光板の前記裏面に対面するよう配置された反射シートと、有し、
前記反射シートの拡散反射率は、１８．３％以下である、表示装置。
【請求項３】
前記導光板の前記裏面に対面する側の前記反射シートの表面が凹凸形状になっており、
前記反射シートの拡散反射率は、１．７％以上である、請求項２に記載の表示装置。
【請求項４】
前記反射シートは、金属層と、前記金属層に積層されたマット層と、を有し、
前記金属層は、銀を含み、
前記マット層は、前記金属層よりも前記導光板の側に位置している、請求項２または３に記載の表示装置。
【発明の詳細な説明】
【技術分野】
【０００１】
本発明は、車載の表示装置に関する。
【背景技術】
【０００２】
液晶表示装置等の表示装置は、通常、画像を表示するディスプレイパネル（液晶パネル）と、ディスプレイパネルを照明するためのバックライト（光源）と、を備えている。このような表示装置では、バックライトからの光が、ディスプレイパネルの表示面の正面方向のみならず、正面方向から傾斜した種々の方向にも、射出される。したがって、表示装置の射出光が種々の方向にも射出されることになり、例えば表示装置が自動車に搭載されている場合、上方に射出された射出光が自動車のフロントガラス等で反射し、運転者の視界を妨げるおそれがある。
【０００３】
この問題を解決するため、従来技術として、例えば特許文献１では、光源とディスプレイパネルとの間にプリズムシート及び光制御シート（ルーバーフィルム）を有する光学部材を設け、光の進行方向を制限している。光学部材を設けることで、ディスプレイパネルに入射する光の入射方向を制限して、表示装置からの射出光の方向を制限することができる。
【先行技術文献】
【特許文献】
【０００４】
【特許文献１】特開２０１０−２１７８７１号公報
【発明の概要】
【発明が解決しようとする課題】
【０００５】
しかしながら、特許文献１のようなルーバーフィルムを用いて表示装置からの射出光の方向を制御する方法では、出光方向以外の光が吸収されてしまうため、光源からの光を十分に利用できず光の利用効率が低下し、十分な輝度が得られない。高輝度で特定の方向に光を出光させるためには、光源の出力を上げなければならない。
【０００６】
本発明は、このような点を考慮してなされたものであり、光源光の利用効率を改善することで所望の方向での輝度を効果的に改善することができる表示装置を提供することを目的とする。
【課題を解決するための手段】
【０００７】
本発明の第１の表示装置は、表示面を有する車載の表示装置であって、
表示パネルと、
前記表示パネルの背面側に配置され、前記表示パネルを背面側から面状に照らす面光源装置と、
前記表示パネルを前記面光源装置に接合する粘着層と、を備え、
前記表示面から出光する光の全方向における輝度の角度分布において、ピーク輝度が得られる方向から４０°傾斜した少なくともいずれかの方向での輝度が、前記ピーク輝度の６．５％以下となっている。
【０００８】
本発明の第２の表示装置は、表示面を有する車載の表示装置であって、
表示パネルと、
前記表示パネルの背面側に配置され、前記表示パネルを背面側から面状に照らす面光源装置と、
前記表示パネルを前記面光源装置に接合する粘着層と、を備え、
前記面光源装置は、出光面と前記出光面に対向して配置された裏面と前記出光面および前記裏面の間に位置する側面とを有する導光板と、前記側面の一部に対面して配置された光源と、前記導光板の前記出光面に対面して配置された光学シートと、前記導光板の前記裏面に対面するよう配置された反射シートと、有し、
前記反射シートの拡散反射率は、１８．３％以下である。
【０００９】
本発明の第２の表示装置において、
前記導光板の前記裏面に対面する側の前記反射シートの表面が凹凸形状になっており、
前記反射シートの拡散反射率は、１．７％以上であってもよい。
【００１０】
本発明の第２の表示装置において、
前記反射シートは、金属層と、前記金属層に積層されたマット層と、を有し、
前記金属層は、銀を含み、
前記マット層は、前記金属層よりも前記反射シートの最も前記導光板の側に位置していてもよい。
【発明の効果】
【００１１】
本発明によれば、光源光の利用効率を改善することで所望の方向での輝度を効果的に改善することができる。
【図面の簡単な説明】
【００１２】
【図１】図１は、本発明による一実施の形態を説明するための図であって、表示装置および面光源装置の概略構成を示す断面図である。
【図２】図２は、図１の面光源装置の作用を説明するための図である。
【図３】図３は、反射シートを示す図である。
【図４】図４は、図１の面光源装置を発光面の側から示す上面図である。
【図５】図５は、図１の面光源装置に組み込まれた導光板を出光面の側から示す斜視図である。
【図６】図６は、図１の面光源装置に組み込まれた導光板を裏面の側から示す斜視図である。
【図７】図７は、導光板の作用を説明するための図であって、図５のＶＩＩ−ＶＩＩ線に沿った断面において導光板を示す図である。
【図８】図８は、図１の面光源装置に組み込まれた光学シートを示す斜視図である。
【図９】図９は、図８の光学シートをその主切断面（図８のＩＸ−ＩＸ線に沿った断面）において示す部分断面図である。
【図１０】図１０は、光学シートの作用を説明するための図であって、図２と同様の断面において導光板および光学シートを示す部分断面図である。
【図１１】図１１は、図１０に対応する図であって、光学シートの一変形例を示す図である。
【図１２ａ】図１２ａは、本発明の一実施の形態の一例と別の例との、規格化輝度の角度分布を示すグラフである。
【図１２ｂ】図１２ｂは、図１２ａの一部を拡大したグラフである。
【図１３ａ】図１３ａは、本発明の一実施の形態の一例と別の例との、測定された輝度の角度分布を示すグラフである。
【図１３ｂ】図１３ｂは、図１３ａの一部を拡大したグラフである。
【図１４】図１４は、拡散シートの拡散反射率と光学密着の関係を示す表である。
【図１５】図１５は、導光板および反射シートの一変形例を示す図である。
【発明を実施するための形態】
【００１３】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１４】
図１〜図１２は本発明による一実施の形態を説明するための図である。このうち、図１は、液晶表示装置および面光源装置の概略構成を示す断面図であり、図２は面光源装置の作用を説明するための断面図であり、図３は面光源装置に含まれた反射シートを示す断面図であり、図４は面光源装置を示す上面図である。図５及び図６は面光源装置に含まれた導光板を示す斜視図であり、図７は導光板の主切断面において導光板を示す断面図である。図８は面光源装置に含まれた光学シートを示す斜視図であり、図９は光学シートの主切断面において光学シートを示す断面図であり、図１０及び図１１は、光学シートの作用を説明するための図である。図１２ａは、表示装置の表示面上での規格化された輝度の角度分布の一例を示す図であり、図１２ｂは、その一部を拡大して示す図である。図１３ａは、表示装置の表示面上での測定された輝度の角度分布の一例を示す図であり、図１３ｂは、その一部を拡大して示す図である。図１４は、拡散シートの拡散反射率と光学密着の関係を示す表である。
【００１５】
図１に示すように、表示装置１０は、表示パネル１５と、表示パネル１５の背面側に配置され表示パネル１５を背面側から面状に照らす面光源装置２０と、表示パネル１５と面光源装置２０との間に設けられた粘着層１７と、を備えている。表示装置１０は、画像を表示する表示面１１を有している。表示パネル１５は、面光源装置２０からの光の透過または遮断を画素毎に制御するシャッターとして機能し、表示面１１に像を表示するように構成されている。本実施の形態で示す一実施例において、表示装置１０は液晶表示装置であり、表示パネル１５は液晶表示パネルである。ただし、表示パネル１５は液晶表示パネルに限定されるものではなく、他の透過型表示パネルを用いることもできる。
【００１６】
図示された液晶表示パネル１５は、出光側に配置された上偏光板１３と、入光側に配置された下偏光板１４と、上偏光板１３と下偏光板１４との間に配置された液晶層１２と、を有している。偏光板１４，１３は、入射した光を直交する二つの偏光成分（Ｐ波およびＳ波）に分解し、一方の方向（透過軸と平行な方向）に振動する直線偏光成分（例えば、Ｐ波）を透過させ、前記一方の方向に直交する他方の方向（吸収軸と平行な方向）に振動する直線偏光成分（例えば、Ｓ波）を吸収する機能を有している。
【００１７】
液晶層１２には、一つの画素を形成する領域毎に、電界印加がなされ得るようになっている。そして、電界印加の有無によって液晶層１２中の液晶分子の配向方向が変化するようになる。一例として、入光側に配置された下偏光板１４を透過した特定方向の偏光成分は、電界印加された液晶層１２を通過する際にその偏光方向を９０°回転させ、その一方で、電界印加されていない液晶層１２を通過する際にその偏光方向を維持する。この場合、液晶層１２への電界印加の有無によって、下偏光板１４を透過した特定方向に振動する偏光成分が、下偏光板１４の出光側に配置された上偏光板１３をさらに透過するか、あるいは、上偏光板１３で吸収されて遮断されるか、を制御することができる。
【００１８】
このようにして液晶表示パネル１５では、面光源装置２０からの光の透過または遮断を画素毎に制御し得るようになっている。なお、液晶表示パネル１５の詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【００１９】
粘着層１７は、面光源装置２０と表示パネル１５との間に設けられ、面光源装置２０を表示パネル１５に接合する。粘着層１７としては、アクリル系粘着剤が用いられることが好ましい。また、粘着層１７の厚みは、表示装置１０の厚さが厚くなりすぎないこと等を考慮すると、１００μｍ以下であることが好ましく、３０μｍ以下であることがより好ましい。
【００２０】
次に、面光源装置２０について説明する。面光源装置２０は、面状に光を発光する発光面２１を有し、本実施の形態では、液晶表示パネル１５を背面側から照明する装置として用いられている。
【００２１】
図１に示す例では、面光源装置２０は、エッジライト型の面光源装置として構成され、導光板３０と、導光板３０の一方の側（図１に於いては左側）の側方に配置された光源２４と、導光板３０にそれぞれ対面するようにして配置された光学シート（プリズムシート）６０及び反射シート２８と、を有している。図示された例では、光学シート６０が、液晶表示パネル１５に直面して配置されている。そして、光学シート６０の出光面６１（第２出光面）によって、面光源装置２０の発光面２１が画成されている。面光源装置２０の発光面２１は粘着層１７に面しているため、発光面２１から出射する光は、空気層等に入射することなく、粘着層１７に入射する。
【００２２】
図示する例において、導光板３０の出光面３１（第１出光面）は、液晶表示装置１０の表示面１１および面光源装置２０の発光面２１と同様に、平面視形状（図１に於いては、上方から見下ろして見た形状）が四角形形状に形成されている。この結果、導光板３０は、全体的に、一対の主面（出光面３１および裏面３２）を有する相対的に厚み方向の辺が他の辺よりも小さい直方体状の部材として構成されており、一対の主面間に画成される側面は四つの面を含んでいる。同様に、光学シート６０及び反射シート２８は、全体的に、相対的に厚み方向の辺が他の辺よりも小さい直方体状の部材として構成されている。
【００２３】
導光板３０は、液晶表示パネル１５側の一方の主面によって構成された出光面３１と、出光面３１に対向するもう一方の主面からなる裏面３２と、出光面３１および裏面３２の間を延びる側面と、を有している。側面のうちの第１方向ｄ１に対向する二つの面のうちの一方の側面が、入光面３３をなしている。図１および図４に示すように、入光面３３に対面して光源２４が設けられている。図２に示すように、入光面３３から導光板３０内に入射した光は、第１方向（導光方向）ｄ１に沿って入光面３３に対向する反対面３４に向け、概ね第１方向（導光方向）ｄ１に沿って導光板３０内を導光されるようになる。図１および図２に示すように、光学シート６０は、導光板３０の出光面３１に対面するようにして配置され、反射シート２８は、導光板３０の裏面３２に対面するようにして配置されている。
【００２４】
光源２４は、例えば、線状の冷陰極管等の蛍光灯や、点状のＬＥＤ（発光ダイオード）や白熱電球等の種々の態様で構成され得る。本実施の形態において、光源２４は、入光面３３の長手方向（図１に於いては、紙面に直交する方向、即ち、紙面の表裏方向）に沿って、並べて配置された多数の点状発光体２５、具体的には、多数の発光ダイオード（ＬＥＤ）によって、構成されている。なお、図４及び図５に示された導光板３０には、光源２４をなす多数の点状発光体２５の配置位置が示されている。
【００２５】
反射シート２８は、導光板３０の裏面３２から漏れ出した光を反射して、再び導光板３０内に入射させるための部材である。反射シート２８での反射は、主として正反射（鏡面反射）であるが、拡散反射を含む。当該拡散反射は、等方性拡散反射であってもよいし、異方性拡散反射であってもよい。反射シート２８は、反射面を形成する素材による拡散反射率を抑える観点から、反射面を形成する層として金属層２８ｂを有する。金属層２８ｂは、鏡面反射率の高い銀を含むことが好ましい。金属層２８ｂは、それ自体のみによって反射シート２８を構成してもよいし、図３に示すように、支持体２８ａ上に設けられてもよい。
【００２６】
反射シート２８の拡散反射率は、１８．３％以下である。このような拡散反射率であれば、表示面１１から出光する全方向における輝度の角度分布において、ピーク輝度が得られる方向から４０°傾斜した少なくともいずれかの方向での輝度を、ピーク輝度の６．５％以下とすることができる。そして、本件発明者らが確認したところ、このような輝度特性によれば、４０°傾斜した少なくともいずれかの方向での輝度を抑えることにより、ピーク輝度を上昇させることができる。具体的には、後述する図１３に示すように、反射シート２８として従来の白色の散乱反射シートを用いた場合と比較して、ピーク輝度を１７％上昇させることができる。
【００２７】
また、反射シート２８と導光板３０とが光学密着して光学的に１つの層となることを避けるために、図３に示すように、導光板３０の裏面３２に対面する側の反射シート２８の表面が凹凸形状となっていてもよい。反射シート２８の表面の凹凸形状は、例えば、図３に示すように、透明のバインダー樹脂２８ｃ１と凹凸形状を形成するための粒子２８ｃ２を含むマット層２８ｃによって形成される。反射シート２８の表面を、反射シート２８と導光板３０との光学密着を避けるような凹凸形状とすると、凹凸形状による拡散反射のため、反射シート２８の拡散反射率は１．７％以上となる。
【００２８】
なお、拡散反射率は、全光線反射率から鏡面反射光分の光線反射率を除外した全方位拡散反射率により定義され、ヘイズメーター（例えば、ＨＲ−１００  村上色彩研究所）を用いて測定することができる。
【００２９】
ところで、本明細書において、「出光側」とは、光源２４、導光板３０、光学シート６０、液晶表示パネル１５と、表示装置１０の構成要素間を逆戻りすることなく進んで、表示装置１０から出射して観察者へ向かう光の進行方向における下流側（観察者側、例えば図１における紙面の上側）のことであり、「入光側」とは、光源２４、導光板３０、光学シート６０、粘着層１７、液晶表示パネル１５と、表示装置１０の構成要素間を逆戻りすることなく進んで、表示装置１０から出射して観察者へ向かう光の進行方向における上流側のことである。
【００３０】
また、本明細書において、「シート」、「フィルム」、「板」等の用語は、呼称の違いのみに基づいて、互いから区別されるものではない。したがって、例えば、「シート」はフィルムや板とも呼ばれ得るような部材も含む概念である。
【００３１】
さらに、本明細書において「シート面（板面、フィルム面）」とは、対象となるシート状の部材を全体的かつ大局的に見た場合において対象となるシート状部材の平面方向と一致する面のことを指す。そして、本実施の形態において、導光板３０の板面、導光板３０の後述する基部４０のシート面（板面）、光学シート６０のシート面、反射シート２８のシート面、液晶表示パネルのパネル面、表示装置１０の表示面１１、および、面光源装置２０の発光面２１は、互いに平行となっている。また、本明細書において、シート状の部材の法線方向とは、対象となるシート状の部材のシート面への法線方向のことを指す。さらに、本明細書において「正面方向」とは、面光源装置２０の発光面２１への法線方向ｎｄのことであり、本実施の形態においては、面光源装置２０の発光面２１への法線方向、導光板３０の板面への法線方向、光学シート６０のシート面への法線方向、表示装置１０の表示面１１への法線方向等にも一致する（例えば、図１，図２参照）。
【００３２】
次に、図２、図４〜図７を主に参照して、導光板３０についてさらに詳述する。図２、図４〜図７によく示されているように、導光板３０は、板状に形成された基部４０と、基部４０の一側の面（観察者側を向く面、出光側面）４１上に形成された複数の単位光学要素５０と、を有している。基部４０は、一対の平行な主面を有する平板状の部材として構成されている。そして、反射シート２８に対面している側に位置する基部４０の他側の面４２によって、導光板３０の裏面３２が構成されている。
【００３３】
なお、本明細書における「単位プリズム」、「単位形状要素」、「単位光学要素」および「単位レンズ」とは、屈折や反射等の光学的作用を光に及ぼして、当該光の進行方向を変化させる機能を有した要素のことを指し、呼称の違いのみに基づいて、互いから区別されるものではない。
【００３４】
図６によく示されているように、導光板３０の裏面３２をなす基部４０の他方の主面をなす他側面４２は凹凸面として形成されている。具体的な構成として、基部４０の他側面４２の凹凸によって、裏面３２が、傾斜面３７と、導光板３０の法線方向ｎｄに延びる段差面３８と、導光板３０の板面方向に延びる接続面３９と、を有している。導光板３０内での導光は、導光板３０の一対の主面３１，３２での全反射作用によっている。その一方で、傾斜面３７は、入光面３３側から反対面３４側へ向かうにつれて出光面３１に接近するよう、導光板３０の板面に対して傾斜している。したがって、傾斜面３７で反射した光については、一対の主面３１，３２に入射する際の入射角度は小さくなる。傾斜面３７で反射することにより、一対の主面３１，３２への入射角度が全反射臨界角度未満になると、当該光は、導光板３０から出射するようになる。すなわち、傾斜面３７は、導光板３０から光を取り出すための要素として機能する。
【００３５】
導光方向である第１方向ｄ１に沿った傾斜面３７の分布を裏面３２内で調節することにより、導光板３０からの出射光量の第１方向ｄ１に沿った分布を調整することができる。図２、図４〜図７に示された例では、導光方向に沿って入射面３３から反対面３４に接近するにつれて、裏面３２うちの傾斜面３７が占める割合が高くなっている。このような構成によれば、導光方向に沿って入射面３３から離間した領域での導光板３０からの光の出射が促進され、入射面３３から離間するにつれて出射光量が低下してしまうことを効果的に防止することができる。
【００３６】
なお、図示された一例において、第１方向ｄ１における傾斜面３７の配列ピッチＰｓ（図４参照）は一定となっている。また、各傾斜面３７の傾斜角度は、複数の接続面３９の間で互いに同一となっている。一方、一つの傾斜面３７の第１方向ｄ１における長さは、複数の傾斜面３７の間で異なっている。傾斜面３７の第１方向ｄ１における長さは、傾斜面３７の配置位置が第１方向ｄ１における一側から他側に向かうにつれて、しだいに長くなっていく。なお、「しだいに長く」とは、常に長くなるように変化し続ける必要はなく、第１方向ｄ１に隣り合う二つの傾斜面３７の第１方向ｄ１における長さが、互いに同一となっていてもよい。すなわち、「しだいに長く」とは、複数の傾斜面３７の第１方向ｄ１における長さが一定ではなく、且つ、一つの傾斜面３７の第１方向ｄ１における長さが、当該一つの傾斜面３７よりも第１方向ｄ１における一側に位置する他の傾斜面３７の第１方向ｄ１における長さより、短くならない、ことを意味している。
【００３７】
次に、基部４０の一側の面４１上に設けられた単位光学要素５０について説明する。図５によく示されているように、複数の単位光学要素５０は、第１方向ｄ１に交差し且つ基部４０の一側の面４１と平行な配列方向（図５に於いては左右方向）に並べられて、基部４０の一側の面４１上に、配列されている。各単位光学要素５０は、基部４０の一側の面４１上を、その配列方向と交差する方向に線状に延びている。
【００３８】
とりわけ本実施の形態では、図５に示すように、複数の単位光学要素５０は、基部４０の一側の面４１上に、第１方向ｄ１と直交する第２方向（配列方向）ｄ２に隙間無く並べて配列されている。したがって、導光板３０の出光面３１は、単位光学要素５０の表面によってなされる傾斜面３５，３６として、構成されている。また、各単位光学要素５０は、配列方向と直交する第１方向ｄ１に沿って、直線状に延びている。さらに、各単位光学要素５０は、柱状に形成され、その長手方向に沿って同一の断面形状を有するようになっている。また、本実施の形態において、複数の単位光学要素５０は、互いに同一に構成されている。この結果、本実施の形態における導光板３０は、第１方向ｄ１に沿った各位置において、一定の断面形状を有するようになっている。
【００３９】
次に、図７に示された断面、すなわち、単位光学要素の配列方向（第２方向）ｄ２および基部４０の一側面４１（導光板３０の板面）への法線方向ｎｄの両方向に平行な断面（以下においては、単に導光板の主切断面とも呼ぶ）における、各単位光学要素５０の断面形状について説明する。図７では、導光板３０の図５におけるＶＩＩ−ＶＩＩ線に沿った断面が示されている。図７に示すように、図示された例において、導光板の主切断面における各単位光学要素５０の断面形状は、出光側に向けて先細りしていく形状となっている。つまり、導光板の主切断面において、導光板３０の板面と平行な単位光学要素５０の幅は、導光板３０の法線方向ｎｄに沿って基部４０から離間するにつれて小さくなっていく。
【００４０】
また、本実施の形態において、単位光学要素５０の主切断面における外輪郭（出光面３１に対応する）５１は、当該外輪郭が基部４０の一方の主面をなす一側面４１に対してなす角度である出光面角度θａが、基部４０から最も離間した単位光学要素５０の外輪郭５１上の先端部５２ａから基部４０に最も接近した単位光学要素５０の外輪郭５１上の基端部５２ｂへ向けて大きくなるよう、変化している。この出光面角度θａについては、例えば特開２０１３−５１１４９に開示されたように設定することができる。
【００４１】
なお、ここでいう出光面角度θａとは、上述したように、導光板の主切断面において、単位光学要素５０の出光側面（外輪郭）５１が基部４０の一側面４１に対してなす角度である。図７に示す例のように、単位光学要素５０の主切断面における外輪郭（出光側面）５１が折れ線状に形成されている場合には、折れ線を構成する各直線部と基部４０の一側面４１との間に形成される角度（厳密には、形成される二つの角のうちの小さい方の角度（劣角の角度））が出光面角度θａとなる。一方、単位光学要素５０の主切断面における外輪郭（出光側面）５１が曲面によって構成される場合には、当該外輪郭への接線と基部４０の一側面４１との間に形成される角度（厳密には、形成される二つの角のうちの小さい方の角度（劣角の角度））を、出光面角度θａとして特定することとする。
【００４２】
図７に示された一具体例としての単位光学要素５０は、導光板３０の主切断面において、基部４０の一側面４１上に一辺が位置するとともに外輪郭５１上における先端部５２ａと各基端部５２ｂとの間に二辺が位置する五角形形状、或いは、この五角形形状の一以上の角を面取りしてなる形状となっている。また、図示する例においては、輝度ピークを示す角度での輝度を効果的に向上させること、および、第２方向ｄ２に沿った面内での輝度の角度分布に対称性を付与することを目的として、単位光学要素５０の主切断面における断面形状は、正面方向ｎｄを中心として、対称性を有している。すなわち、図７によく示されているように、各単位光学要素５０の出光側面５１は、正面方向を中心として対称的に構成された一対の折れ面３５，３６によって構成されている。一対の折れ面３５，３６は、互いに接続されて先端部５２ａを画成している。各折れ面３５，３６は、先端部５２ａを画成する第１面３５ａ，３６ａと、第１面３５ａ，３６ａへ基部４０の側から接続する第２面３５ｂ，３６ｂと、を有している。一対の第１傾斜面３５ａ，３６ａは正面方向ｎｄを中心として対称的な構成を有するとともに、一対の第２傾斜面３５ｂ，３６ｂも正面方向ｎｄを中心として対称的な構成を有している。
【００４３】
単位光学要素５０の全体的な構成として、導光板３０の主切断面における単位光学要素５０の配列方向への幅Ｗａに対する、導光板３０の主切断面における単位光学要素５０の基部４０からの正面方向に沿った突出高さＨａの比（Ｈａ／Ｗａ）が、０．３以上０．４５以下となっていることが好ましい。このような単位光学要素５０によれば、出光側面５１での屈折および反射により、単位光学要素５０の配列方向（第２方向）に沿った光の成分に対して優れた集光機能を発揮することが可能となり且つサイドローブの発生を効果的に抑制することも可能となる。
【００４４】
なお、本件明細書における「五角形形状」とは、厳密な意味での五角形形状のみでなく、製造技術における限界や成型時の誤差等を含む略五角形形状を含む。また同様に、本明細書において用いる、その他の形状や幾何学的条件を特定する用語、例えば、「平行」、「直交」および「対称」等の用語も、厳密な意味に縛られることなく、同様の光学的機能を期待し得る程度の誤差を含めて解釈することとする。
【００４５】
ここで、導光板３０の寸法は、一例として、以下のように設定され得る。まず、単位光学要素５０の具体例として、幅Ｗａ（図７参照）を１０μｍ以上５００μｍ以下とすることができる。一方、基部４０の厚みは、０．２ｍｍ〜６ｍｍとすることができる。
【００４６】
以上のような構成からなる導光板３０は、基材上に単位光学要素５０を賦型することにより、あるいは、押し出し成型により、作製することができる。導光板３０の基部４０及び単位光学要素５０をなす材料としては、種々の材料を使用することができる。とりわけ、表示装置に組み込まれる光学シート用の材料として広く使用され、優れた機械的特性、光学特性、安定性および加工性等を有するとともに安価に入手可能な材料、例えば、アクリル、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。尚、必要に応じて、導光板３０中に光を拡散させる機能を有する拡散成分を添加することもできる。拡散成分は、一例として、平均粒径が０．５〜１００μｍ程度であるシリカ（二酸化珪素）、アルミナ（酸化アルミニウム）、アクリル、ポリカーボネート、シリコーン等の透明物質からなる粒子を、用いることができる。
【００４７】
電離放射線硬化型樹脂を基材上に硬化させることによって導光板３０を作製する場合、単位光学要素５０とともに、単位光学要素５０と基材との間に位置するようになるシート状のランド部を、基材上に形成するようにしてもよい。この場合、基部４０は、基材と電離放射線硬化型樹脂によって形成されたランド部とから構成されるようになる。また、基材として、光拡散粒子とともに押し出し成型された樹脂材料からなる板材を、用いることができる。一方、押し出し成型で作製された導光板３０においては、基部４０と、基部４０の一側面４１上の複数の単位光学要素５０と、が一体的に形成され得る。
【００４８】
次に、図２、図４、図８〜図１１を主に参照して、光学シート（プリズムシート）６０についてさらに詳述する。光学シート６０は、透過光の進行方向を変化させる機能を有した部材である。
【００４９】
図８によく示されているように、光学シート６０は、板状に形成された本体部６５と、本体部６５の入光側面６７上に形成された複数の単位プリズム（単位形状要素、単位光学要素、単位レンズ）７０と、を有している。本体部６５は、一対の平行な主面を有する平板状の部材として構成されている。そして、導光板３０に対面しない側に位置する本体部６５の出光側面６６によって、光学シート６０の出光面６１が構成されている。
【００５０】
次に、本体部６５の入光側面上に設けられた単位プリズム７０について説明する。図２及び図８によく示されているように、複数の単位プリズム７０は、本体部６５の入光側面６７上に並べて配置されている。各単位プリズム７０は、柱状に形成され、その配列方向と交差する方向に延びている。
【００５１】
本実施の形態において、各単位プリズム７０は直線状に延びている。また、各単位プリズム７０は、柱状に形成され、その長手方向に沿って同一の断面形状を有するようになっている。さらに、複数の単位プリズム７０は、その長手方向に直交する方向に沿って、本体部６５の入光側面６７上に隙間無く並べられている。したがって、光学シート６０の入光面６２は、本体部６５上に隙間無く配列された単位プリズム７０の表面（プリズム面）７１，７２によって形成されている。図８に示すように、複数の単位プリズム７０は、第３方向ｄ３（プリズム配列方向）に配列されている。各単位プリズム７０は、その配列方向である第３方向ｄ３に直交する第４方向ｄ４に直線状に延びている。
【００５２】
なお、上述してきたように、光学シート６０は、導光板３０に重ねられるようにして配置され、光学シート６０の単位プリズム７０が導光板３０の出光面３１に対面するようになっている。図４に示された例では、光学シート６０は、単位プリズム７０の長手方向（第４方向ｄ４）が導光板３０による導光方向（導光板３０の入光面３３と当該入光面に対向する反対面３４とを結ぶ第１方向）ｄ１と交差するように、導光板３０に対して位置決めされている。また、単位プリズム７０の配列方向である第３方向ｄ３は、導光方向である第１方向ｄ１に対して平行又は傾斜して配置されている。とりわけ、図４に示された例では、第３方向ｄ３は、第１方向ｄ１に対して４５°未満の角度で傾斜している。後述するように、このような光学シート６０を用いた場合、第１方向ｄ１に対して第３方向ｄ３を傾斜させることにより、輝度ピークが発生する方向を種々の方向に制御することができる。ただし、この例に限られず、単位プリズム７０の配列方向である第３方向ｄ３が、導光方向である第１方向ｄ１と平行になるようにしてもよい。
【００５３】
図９によく示されているように、各単位プリズム７０は、単位プリズム７０の配列方向、つまり第３方向ｄ３に沿って、互いに対向して配置された第１プリズム面７１および第２プリズム面７２を有している。各単位プリズム７０の第１プリズム面７１は、第３方向ｄ３における一側（図９の紙面における左側）に位置し、第２プリズム面７２は、第３方向ｄ３における他側（図９の紙面における右側）に位置している。図１、図２、図１０及び図１１に示された導光板３０の主切断面に沿った面光源装置２０の断面において、第３方向ｄ３の一方の側は、第１方向ｄ１において一側となり、第３方向ｄ３の他方の側は、第１方向ｄ１において他側となる。
【００５４】
より詳細には、各単位プリズム７０の第１プリズム面７１は、第３方向ｄ３における光源２４の側に位置して第１方向ｄ１における一側（光源側）を向く。各単位プリズム７０の第２プリズム面７２は、第３方向ｄ３における光源２４から離間する側に位置し、第１方向ｄ１における他側（光源とは反対側）を向く。後述するように、第１プリズム面７１は、主として、第１方向ｄ１における一側に配置された光源２４から導光板３０内に進み、その後に導光板３０から出射した光が、光学シート６０へ入射する際の入射面として機能する。一方、第２プリズム面７２は、光学シート６０へ入射した光を反射して、当該光の光路を補正する機能を有する。
【００５５】
図９によく示されているように、第１プリズム面７１および第２プリズム面７２は、それぞれ本体部６５から延び出るとともに互いに接続されている。第１プリズム面７１および第２プリズム面７２が本体部６５にそれぞれ接続する位置において、単位プリズム７０の基端部７５ｂが画成されている。また、第１プリズム面７１および第２プリズム面７２が互いに接続する位置において、本体部６５から最も入光側に突出した単位プリズム７０の先端部（頂部）７５ａが画成されている。
【００５６】
上述したように、図９に示すように、本体部６５のシート面（本体部６５の入光側面６７、光学シート６０のシート面）への法線方向ｎｄおよび単位プリズム７０の配列方向である第３方向ｄ３の両方に平行な断面（以下においては、単に光学シートの主切断面とも呼ぶ）における各単位プリズム７０の断面形状は、当該単位プリズム７０の長手方向（直線状に延びている方向）に沿って一定となっている。
【００５７】
以下において、光学シートの主切断面における単位プリズム７０の断面形状についてさらに詳細に説明する。なお、図９では、光学シートの主切断面に相当する図８のＩＸ−ＩＸ線に沿った光学シートの断面が示されている。その一方で、図１０及び図１１では、導光板の主切断面と平行な断面における、導光板３０および光学シート６０が示されている。図９に示すように、本実施の形態においては、光学シートの主切断面における各単位プリズム７０の断面形状は、入光側（導光板の側）に向けて先細りしていく形状となっている。つまり、主切断面において、本体部６５のシート面と平行な単位プリズム７０の幅は、本体部６５の法線方向ｎｄに沿って本体部６５から離間するにつれて小さくなっていく。
【００５８】
本実施の形態において、光学シート６０の主切断面において単位プリズム７０の外輪郭の一部をなす第２プリズム面７２（入光側面の一部をなす第２プリズム面７２）が、第３方向ｄ３に対してなす角度を傾斜角度θｔとすると、少なくとも一つの単位プリズム７０の傾斜角度θｔは、第２プリズム面７２内において一定とはなっていない。図９に示すように、傾斜角度θｔは、第２プリズム面７２内において、本体部６５から最も離間した当該単位プリズムの先端部７５ａから本体部６５に最も接近した当該単位プリズム６０の基端部７５ｂへ向けて、大きくなるように変化する。図１０および図１１に示すように、このような単位プリズム６０によれば、第２プリズム面７２のうちの、正面方向ｎｄに対する傾斜角度が比較的小さくなる方向に進む比較的に立ち上がった光Ｌ１０１，Ｌ１１１が主として入射するようになる基端部７５ｂ側の領域、並びに、正面方向ｎｄに対する傾斜角度が非常に大きくなる方向に進む比較的に寝た光Ｌ１０２，Ｌ１１２が主として入射するようになる先端部７５ａ側の領域の両方において、優れた集光機能を確保することができる。すなわち、一つの単位プリズム７０から進み出る光が、より狭い角度範囲内の方向に進むようになる。
【００５９】
具体的な構成として、光学シートの主切断面において、第３方向ｄ３に対する傾斜角度θｔが、単位プリズム７０の先端部７５ａの側から基端部７５ｂの側へ向けて、しだいに大きくなるように配置されたｎ（ｎは２以上の自然数）個の要素面７３、すなわち複数の要素面を含んでいる。図示された本実施の形態では、単位プリズム７０の第２プリズム面７２の輪郭は、光学シートの主切断面において、直線部をつなぎ合わせてなる、或いは、直線部をつなぎ合わせるとともにつなぎ目を面取りしてなる形状を有している。言い換えると、単位プリズム７０の第２プリズム面７２の外輪郭は、折れ線状に、或いは、折れ線の角部を面取りしてなる形状に、形成されている。とりわけ図示された例において、第２プリズム面７２は、先端部７５ａを画成する第１要素面７３ａと、第１要素面７３ａに本体部６５の側から隣接する第２要素面７３ｂと、を有している。そして、図９に示すように、第１要素面７３ａの傾斜角度θ１が、第２要素面７３ｂでの傾斜角度θ２よりも小さくなっている。ただし、この例に限られず、第２プリズム面７２は、三以上の要素面７３を有するようにしてもよいし、曲面となっていてもよいし、単一性の平坦面（単一の要素面）となっていてもよい。
【００６０】
なお、傾斜角度θｔ，θ１，θ２とは、上述したように、光学シート６０の主切断面において、単位プリズム７０の入光側面（第２プリズム面７２）が第３方向ｄ３に対してなす角度である。折れ線を構成する各要素面７３と第３方向ｄ３との間に形成される角度（厳密には、形成される二つの角のうちの小さい方の角度（劣角の角度））が傾斜角度θｔ，θ１，θ２となる。
【００６１】
以上のような構成を有した光学シート６０において、光学シートの主切断面において単位プリズム７０の配列方向に沿った単位プリズム７０の幅Ｗｂ（図９参照）の、光学シートの主切断面において本体部６５の法線方向ｎｄに沿った単位プリズム７０の高さＨｂに対する比、すなわち第２プリズム面７２のアスペクト比（Ｗｂ／Ｈｂ）の大きさ、並びに、第２プリズム面７２をなす各要素面７３の傾斜角度θｔは、当該光学シート６０の集光性、さらには集光されるべき方向、言い換えると輝度ピークが生じる方向に影響を与える。図１０に示すように、正面方向ｎｄから導光方向である第１方向ｄ１へ傾斜した方向に導光板３０の出光面３１から進み出る出射光Ｌ１０１，Ｌ１０２の進行方向を、正面方向ｎｄまで戻しきらないようにして、輝度ピークを第１方向ｄ１に対して傾斜した方向に生じさせるには、単位プリズム７０のアスペクト比（Ｗｂ／Ｈｂ）を１．１５以上１．５以下にとし、さらに、第１要素面７３ａの傾斜角度θ１を３８°以上５３°以下にとし、第２要素面７３ｂの傾斜角度θ２を４３°以上５７°以下にとすることが好ましい。一方、図１１に示すように、正面方向ｎｄから導光方向である第１方向ｄ１へ傾斜した方向に導光板３０の出光面３１から進み出る出射光Ｌ１１１，Ｌ１１２の進行方向を、正面方向ｎｄを越えて変化させるようにして、輝度ピークを第１方向ｄ１に対して傾斜した方向に生じさせるには、単位プリズム７０のアスペクト比（Ｗｂ／Ｈｂ）を１．１以上１．５０以下にとし、さらに、第１要素面７３ａの傾斜角度θ１を５３°以上６８°以下にとし、第２要素面７３ｂの傾斜角度θ２を５９°以上７２°以下にとすることが好ましい。
【００６２】
したがって、以上のような構成を有した光学シート６０によれば、第２プリズム面７２が発光面２１に垂直な方向に対して傾斜することで、発光面２１への法線方向とプリズム配列方向との両方に平行な面において、導光板３０から第１プリズム面７１に入射して第２プリズム面７２で反射した光を、発光面２１に垂直な方向から傾斜させて出光させることができる。さらに、プリズム配列方向は、第１方向ｄ１に対して傾斜し、各単位プリズム７０が第１方向ｄ１と直交する方向に対して傾斜する方向に線状に延びることで、発光面２１への法線方向に沿って光学シート６０を見た際に、導光板３０から第１プリズム面７１に入射して第２プリズム面７２で反射した光を第１方向ｄ１に平行な方向から傾斜した方向に出光させることができる。これにより、発光面２１の任意の方向にピーク輝度を有する角度分布の光を出光させることができる。
【００６３】
光学シート６０の寸法は、一例として、以下のように設定され得る。まず、以上のような構成からなる単位プリズム７０の具体例として、プリズム配列方向ｄ３に沿った単位プリズム７０の配列ピッチ（図示された例では、単位プリズム７０の幅Ｗｂに相当）を１０μｍ以上２００μｍ以下とすることができる。ただし、昨今においては、単位プリズム７０の配列の高精細化が急速に進んでおり、プリズム配列方向ｄ３に沿った単位プリズム７０の配列ピッチを１０μｍ以上３５μｍ以下とすることが好ましい。同様に、プリズム配列方向ｄ３に沿った単位プリズム７０の第２プリズム面７２の幅Ｗｂ２を５μｍ以上１００μｍ以下とすることができ、昨今の傾向を考慮すると、５μｍ以上２０μｍ以下とすることができる。また、光学シート６０のシート面への法線方向ｎｄに沿った本体部６５からの単位プリズム７０の突出高さＨｂを５．５μｍ以上１８０μｍ以下とすることができる。
【００６４】
以上のような構成からなる光学シート６０は、基材上に光学シート６０を賦型することにより、あるいは、押し出し成型により、作製することができる。光学シート６０の本体部６５及び単位プリズム７０をなす材料としては、種々の材料を使用することができる。とりわけ、表示装置に組み込まれる光学シート用の材料として広く使用され、優れた機械的特性、光学特性、安定性および加工性等を有するとともに安価に入手可能な材料、例えば、アクリル、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。
【００６５】
電離放射線硬化型樹脂を基材上に硬化させることによって光学シート６０を作製する場合、単位プリズム７０とともに、単位プリズム７０と基材との間に位置するようになるシート状のランド部を、基材上に形成するようにしてもよい。この場合、本体部６５は、基材と電離放射線硬化型樹脂によって形成されたランド部とから構成されるようになる。一方、押し出し成型で作製された光学シート６０においては、本体部６５と、本体部６５の入光側面６７上の複数の単位プリズム７０と、が一体的に形成され得る。
【００６６】
ところで、本実施の形態では、表示面１１から出光する全方向における輝度の角度分布において、ピーク輝度が得られる方向から４０°傾斜した少なくともいずれかの方向での輝度が、ピーク輝度の６．５％以下となっている。本件発明者らが確認したところ、このような輝度特性によれば、ピーク輝度を上昇させることができる。また、より安定してピーク輝度を上昇させる観点からは、ピーク輝度が得られる方向から４０°傾斜した少なくともいずれかの方向での輝度が、ピーク輝度の５．５％以下となっていることがより好ましい。
【００６７】
なお、このような輝度特性は、上述した表示装置の構成において、例えば上述した範囲で形状や各寸法の大きさ等を変更することで、実現され得る。すなわち、表示パネルを面光源装置に接合する粘着層を設け、例えば上述した範囲で形状や各寸法の大きさ等を変更することで、実現され得る。
【００６８】
次に、以上のような構成からなる表示装置１０の作用について説明する。
【００６９】
まず、図１及び図２に示すように、光源２４をなす発光体２５で発光された光は、入光面３３を介し、導光板３０に入射する。図２に示すように、導光板３０へ入射した光Ｌ２１，Ｌ２２は、導光板３０の出光面３１および裏面３２において、反射、とりわけ導光板３０をなす材料と空気との屈折率差に起因して全反射を繰り返し、導光板３０の入光面３３と反対面３４とを結ぶ第１方向（導光方向）ｄ１へ進んでいく。
【００７０】
導光板３０の裏面３２は、入光面３３から反対面３４に向かうにつれて、出光面３１に対して接近するように傾斜した傾斜面３７を有している。傾斜面３７は段差面３８及び接続面３９を介して連結されている。このうち段差面３８は、導光板３０の板面の法線方向ｎｄに延びている。したがって、導光板３０内を入光面３３の側から反対面３４の側へと進む光の殆どは、裏面３２のうち、段差面３８に入射することなく、傾斜面３７又は接続面３９にて反射するようになる。そして、裏面３２のうちの傾斜面３７で反射すると、図２に示された断面における当該光の進行方向は、導光板３０の板面に対する傾斜角度を増大させる。すなわち、裏面３２のうちの傾斜面３７で反射すると、以降における、当該光の出光面３１及び裏面３２への入射角度が小さくなる。したがって、導光板３０内を進む光の出光面３１及び裏面３２への入射角度は、裏面３２のうちの傾斜面３７での一以上の反射によって、次第に小さくなっていき、全反射臨界角未満となる。この場合、当該光は、導光板３０の出光面３１および裏面３２から、出射し得るようになる。出光面３１から出射した光Ｌ２１，Ｌ２２は、導光板３０の出光側に配置された光学シート６０へと向かう。一方、裏面３２から出射した光は、導光板３０の背面に配置された反射シート２８で反射され再び導光板３０内に入射して導光板３０内を進むことになる。
【００７１】
とりわけ、図示された例においては、導光方向となる第１方向ｄ１に沿って入光面３３から反対面３４に接近するにつれて、裏面３２のうちの傾斜面３７が占める割合が高くなっている。より具体的には、傾斜面３７は、第１方向ｄ１に一定ピッチＰｓで配置されているが、各傾斜面３７の第１方向ｄ１に沿った長さが、第１方向ｄ１における一側から他側に向けてしだいに長くなっている。これにより、出射光量が少なくなってしまう傾向がある入光面３３から離間した領域において、導光板３０の出光面３１からの出射光量を十分に確保し、導光方向に沿った出射光量の均一化を図ることができる。
【００７２】
ところで、図示する導光板３０の出光面３１は複数の単位光学要素５０によって構成され、各単位光学要素５０の主切断面における断面形状は、正面方向を中心として対称的に配置された五角形形状または当該五角形形状の一以上の角を面取りしてなる形状となっている。より詳細には上述したように、導光板３０の出光面３１は、導光板３０の裏面３２に対して傾斜した折れ面として、構成されている（図７参照）。この折れ面は、基部４０の出光側面４１への法線方向ｎｄを挟んで互いに逆側に傾斜した傾斜面３５，３６となっている。そして、この傾斜面３５，３６で全反射して導光板３０内を進む光およびこの傾斜面３５，３６を通過して導光板３０から出射する光は、この傾斜面３５，３６から、以下に説明する作用を及ぼされるようになる。まず、傾斜面３５，３６で全反射して導光板３０内を進む光に対して及ぼされる作用について説明する。
【００７３】
図７には、出光面３１および裏面３２において全反射を繰り返しながら導光板３０内を進む光Ｌ７１，Ｌ７２の光路が、導光板の主切断面内に示されている。上述したように、導光板３０の出光面３１をなす傾斜面３５，３６は、基部４０の出光側面４１への法線方向ｎｄを挟んで互いに逆側に傾斜した二種類の面を含んでいる。また、互いに逆側に傾斜した二種類の傾斜面３５，３６は、第２方向ｄ２に沿って、交互に並べられている。そして、図７に示すように、導光板３０内を出光面３１に向けて進み出光面３１に入射する光Ｌ７１，Ｌ７２は、多くの場合、二種類の傾斜面３５，３６のうちの、導光板の主切断面において基部４０の出光側面４１への法線方向ｎｄを基準として当該光の進行方向とは逆側に傾斜した傾斜面へ入射する。
【００７４】
この結果、図７に示すように、導光板３０内を進む光Ｌ７１，Ｌ７２は、出光面３１の傾斜面３５，３６で全反射する多くの場合、第２方向ｄ２に沿った成分を低減されるようになり、さらには、主切断面においてその進行方向は正面方向ｎｄを中心として逆側に向くようにもなる。このようにして、導光板３０の出光面３１をなす傾斜面３５，３６によって、ある発光点で放射状に発光された光が、そのまま第２方向ｄ２に拡がり続けることが規制される。すなわち、光源２４の発光体２５から第１方向ｄ１に対して大きく傾斜した方向に発光され導光板３０内に入射した光も、第２方向ｄ２への移動を規制されながら、主として第１方向ｄ１へ進むようになる。これにより、導光板３０の出光面３１から出射する光の第２方向ｄ２に沿った光量分布を、光源２４の構成（例えば、発光体２５の配列）や、発光体２５の出力によって、調節するといったことが可能となる。
【００７５】
次に、出光面３１を通過して導光板３０から出射する光に対して及ぼされる作用について説明する。図７に示すように、出光面３１を介し導光板３０から出射する光Ｌ７１，Ｌ７２は、導光板３０の出光面３１をなす単位光学要素５０の出光側面において屈折する。この屈折により、主切断面において正面方向ｎｄから傾斜した方向に進む光Ｌ７１，Ｌ７２の進行方向（出射方向）は、主として、導光板３０内を通過している際における光の進行方向と比較して、正面方向ｎｄに対してなす角度が小さくなるように、曲げられる。このような作用により、単位光学要素５０は、導光方向と直交する第２方向ｄ２に沿った光の成分について、透過光の進行方向を正面方向ｎｄ側に絞り込むことができる。すなわち、単位光学要素５０は、導光方向と直交する第２方向ｄ２に沿った光の成分に対して、集光作用を及ぼすようになる。このようにして、導光板３０から出射する光の出射角度は、導光板３０の単位光学要素５０の配列方向と平行な面内において、正面方向を中心とした狭い角度範囲内に絞り込まれる。
【００７６】
以上のようにして、導光板３０から出射する光の出射角度は、導光板３０の単位光学要素５０の配列方向と平行な面において、正面方向ｎｄを中心とした狭い角度範囲内に絞り込まれる。その一方で、導光板３０から出射する光の出射角度は、それまで、導光板３０内を主として第１方向ｄ１に進んでいたことに起因して、図２に示すように、第１方向（導光方向）ｄ１と平行な面において、正面方向ｎｄから比較的大きく傾斜した比較的に大きな出射角度θｋとなる。つまり、導光板３０から出射する光の第１方向成分ｄ１の出射角度（出射光の第１方向成分と導光板３０の板面への法線方向ｎｄとがなす角度θｋ（図２参照））は、比較的大きな角度となる。とりわけ、本実施の形態において、導光板３０の裏面３２が、第１方向ｄ１に配列された複数の傾斜面３７を含んでおり、各傾斜面３７は、第１方向ｄ１における一側から他側に向かうにつれて出光面３１に接近するように、導光板３０の法線方向ｎｄ及び第１方向ｄ１に対して傾斜している。この結果、図２に示すように、第１方向（導光方向）ｄ１と平行な面において、導光板３０からの出射方向は、正面方向ｎｄから比較的大きく傾斜した比較的に大きな出射角度θｋとなる狭い角度範囲内に偏る、傾向が生じる。
【００７７】
例えば、上述の例示の形状および寸法からなる導光板３０では、導光板３０の法線方向ｎｄ及び第１方向ｄ１の両方に平行な面内における各方向への導光板３０の出光面３１上での輝度の角度分布において、輝度ピークが得られる方向が導光板３０の法線方向ｎｄから第１方向ｄ１に沿って他側（反対面３４の側）へ傾斜した角度θａＩｍａｘ１、及び、導光板３０の法線方向ｎｄと輝度ピークが得られる方向との間に位置する輝度ピークの半分の輝度が得られる方向が輝度ピークが得られる方向から第１方向ｄ１に沿って一側（入光面３３の側）へ傾斜した角度θａＩα１を、次の条件（１）及び（２）、より好ましくは条件（１’）及び（２’）、を満たす範囲に設定することができる。
６０°  ≦  θａＩｍａｘ１  ≦  ８０°      ・・・（１）
５°≦  θａＩα１  ≦  ２５°      ・・・（２）
７０°  ≦  θａＩｍａｘ１  ≦  ８０°      ・・・（１’）
５°≦  θａＩα１  ≦  １５°      ・・・（２’）
【００７８】
また、上述の例示の形状および寸法からなる導光板３０では、導光板３０の主切断面内における各方向への導光板３０の出光面３１上での輝度の角度分布において、輝度ピークが得られる方向が導光板３０の法線方向ｎｄに対してなす角度の大きさθａＩｍａｘ２、及び、輝度ピークが得られる方向の両側にそれぞれ位置し輝度ピークの半分の輝度が得られる方向が、輝度ピークが得られる方向から傾斜した角度の大きさの平均値θａＩα２（＝（θａＩα２ｘ＋θａＩα２ｙ）／２）を、次の範囲に設定することができる。
０°  ≦  θａＩｍａｘ２  ≦  ３°      ・・・（３）
１２°≦  θａＩα２  ≦  ２７°      ・・・（４）
【００７９】
導光板３０から出射した光は、その後、光学シート６０へ入射する。上述したように、この光学シート６０は、導光板３０の側へ向けて先端部７５ａが突出する単位プリズム７０を有している。図４によく示されているように、単位プリズム７０の長手方向は、導光板３０による導光方向（第１方向）ｄ１と交差する方向第４方向ｄ４に延びている。なお、図４において、導光板３０の傾斜面３７を点線で示し、光学シート６０の単位プリズム７０を一点鎖線で示している。
【００８０】
この結果、第１方向ｄ１における一側（図２の紙面における左側）に配置された光源２４で発光され導光板３０を介して光学シート６０へ向かう光Ｌ２１，Ｌ２２は、互いに接続された第１プリズム面７１および第２プリズム面７２のうちの、第１方向ｄ１における光源２４側となる一側に位置する第１プリズム面７１を介して単位プリズム７０へ入射する。図２に示すように、この光Ｌ２１，Ｌ２２は、その後、第１方向ｄ１における光源とは反対側の他側（図２の紙面における右側）に位置する第２プリズム面７２で全反射してその進行方向を変化させるようになる。
【００８１】
そして、単位プリズム７０の第２プリズム面７２での全反射により、図１０または図１１に示された光学シートの主切断面（第１方向（導光方向）ｄ１と正面方向ｎｄとの両方向に平行な断面）において正面方向ｎｄから大きく傾斜した方向に進む光Ｌ１０１，Ｌ１０２，Ｌ１１１，Ｌ１１２は、その進行方向が正面方向ｎｄに対してなす角度が小さくなるように、曲げられる。このような作用により、単位プリズム７０は、第１方向（導光方向）ｄ１に沿った光の成分について、透過光の進行方向を正面方向ｎｄから傾斜した方向に絞り込むことができる。すなわち、光学シート６０は、第１方向ｄ１に沿った光の成分に対して、正面方向ｎｄから傾斜した方向へ向けて集光作用を及ぼすようになる。
【００８２】
なお、このように光学シート６０の単位プリズム７０によってその進行方向を大きく変化させられる光は、主として、単位プリズム７０の配列方向である第１方向ｄ１に進む成分であり、導光板３０の単位光学要素５０の傾斜面３５，３６によって集光させられる第２方向ｄ２に進む成分とは異なる。したがって、光学シート６０の単位プリズム７０での光学的作用によって、導光板３０の単位光学要素５０によって上昇させられた輝度ピークを示す角度での輝度を害すことなく、さらに、輝度ピークを示す角度での輝度を向上させることができる。
【００８３】
本実施の形態では、各単位プリズム７０は、第３方向ｄ３の一方の側を向き且つ導光板３０の出光面３１から出射した光の入射面をなす第１プリズム面７１と、第３方向ｄ３の他方の側を向き且つ第１プリズム面７１を通過して当該単位プリズム７０内に入射した光を全反射する第２プリズム面７２と、を有している。そして、単位プリズム７０による集光機能は、第２プリズム面７２での全反射機能による。このため、光学シート６０は、光の進行方向を大きく変化させることができ、且つ、高い自由度で集光方向を調整することができる。図１０に示された例では、正面方向ｎｄから導光方向である第１方向ｄ１へ傾斜した方向に導光板３０の出光面３１から進み出る出射光Ｌ１０１，Ｌ１０２の進行方向を、正面方向ｎｄまで戻しきらないようにして、輝度ピークを第１方向ｄ１に対して傾斜した方向に生じさせている。一方、図１１に示された例では、正面方向ｎｄから導光方向である第１方向ｄ１へ傾斜した方向に導光板３０の出光面３１から進み出る出射光Ｌ１０１，Ｌ１０２の進行方向を、正面方向ｎｄを越えて変化させるようにして、輝度ピークを第１方向ｄ１に対して傾斜した方向に生じさせている。このような光学シート６０を有する面光源装置２０によれば、簡易な構成により、発光面２１上での輝度ピークを正面方向以外に生じさせることができる。
【００８４】
面光源装置２０の発光面２１を形成する光学シート６０から出射した光は、図２に示すように、その後、表示パネル１５に向かう。液晶表示パネル１５へ入射した光のうち一方の偏光成分の光が、下偏光板１４を透過する。下偏光板１４を透過した光は、画素毎への電界印加の状態に応じて、選択的に上偏光板１３を透過するようになる。このようにして、液晶表示パネル１５によって、面光源装置２０からの光を画素毎に選択的に透過させることにより、液晶表示装置１０の観察者が、映像を観察することができるようになる。
【００８５】
ところで、本実施の形態では、表示パネル１５を面光源装置２０に接合する粘着層１７が設けられている。図示された例において、粘着層１７は、表示パネル１５と光学シート６０を接合している。したがって、光学シート６０から出射した光は、粘着層１７を介して、表示パネル１５に進む。粘着層１７によって表示パネル１５と面光源装置２０とが接合されると、表示パネル１５と面光源装置２０との間に屈折率差の大きい界面、典型的には空気との界面が存在しなくなるため、界面における反射が減少する。界面反射が減少することで、反射した光が導光板３０を通って反射シート２８で反射され再び導光板３０及び光学シート６０を通って出射する光が減少する。界面で一度反射されて再び光学シート６０から出射する光の出射角度は、界面で反射されずに光学シート６０から出射する光の出射角度と異なる。すなわち、界面で一度反射されて再び光学シート６０から出射する光は、光学シート６０で集光を期待された方向とは異なる方向に向けて光学シート６０から出射する。したがって、粘着層１７により界面反射を減少させることで、面光源装置２０から表示パネル１５へと進む光の大きな拡散を避けることができる。これにより、表示装置１０の表示面１１上でのピーク輝度を効果的に向上させることができ、予め設定された所望の方向に向けて明るく画像を表示することができる。とりわけ本実施の形態の表示装置１０では、画像光の拡散を効果的に抑制することによって、意図した所望の方向に画像光を集めている。すなわち、光源の出力を増大させることなく、光源光の利用効率を改善することで所望の方向から画像を明るく観察することを可能にしており、省エネルギーの観点からも極めて好ましい。
【００８６】
上述したように、導光板３０内を進む光の出光面３１及び裏面３２への入射角度は、出光面３１又は裏面３２で反射する度に小さくなっていく。裏面３２への入射角度が小さくなった光は、裏面３２から出光し、反射シート２８において正反射される。正反射されて再び導光板３０内を進む光は、裏面３２への入射角度が小さいため、出光面３１への入射角度も小さい。したがって、反射シート２８で反射されて再び導光板３０に入射した光は、出光面３１において全反射臨界角未満となり、出光面３１から出光し得るようになりやすい。また、反射シート２８の拡散反射が抑制されている場合、導光板３０に再び入射する光の拡散が抑制されるため、導光板３０の出光面３１から出光する光の拡散が抑制され、最終的に表示面１１から出光する光の拡散を抑制し、ピーク輝度を上昇させることができる。とりわけ、反射シート２８の拡散反射率を１８．３％以下とした場合、一般的な表示装置の用途への適用において、目視で感知可能な程度にまでピーク輝度を上昇させることができた。
【００８７】
加えて、ここで説明する表示装置１０では、表示パネル１５と、表示パネル１５の背面側に配置され、表示パネル１５を背面側から面状に照らす面光源装置２０と、表示パネル１５を面光源装置２０に接合する粘着層１７と、を備える。この表示装置１０の表示面１１から出光する光の全方向における輝度の角度分布において、ピーク輝度が得られる方向から４０°傾斜した少なくともいずれかの方向での輝度が、ピーク輝度の６．５％以下となっている。ピーク輝度の６．５％以下となる明るさでは通常の観察において、何らかの画像として認識することが困難となる程度にまで暗く画像が表示されるようになるが、通常の表示装置の観察において観察角度を一度に４０°以上変化させることは稀であり、したがって、このような拡散の程度は、光源光の有効活用といった観点からだけでなく、意図しない方向への二重像（ゴースト）の発生防止といった観点からも有効である。
【００８８】
ここで、図１２ａおよび図１３ａは、実際に、複数のサンプルの表示装置１０を作製して、その性能を確認したグラフである。図１２ａの縦軸は、最大輝度を１としたときの規格化輝度（相対輝度）を表し、図１３ａの縦軸は、測定された輝度（絶対輝度）を表す。図１２ａおよび図１３ａの横軸は、正面方向に対して輝度を測定した方向がなす角度［°］を表している。横軸の測定角度［°］は、輝度を測定した方向が正面方向から第１方向ｄ１における一側に傾斜した場合を負の数とし、輝度を測定した方向が正面方向から第１方向ｄ１における他側に傾斜した場合を正の数とした。各表示装置１０のサンプルは、上述してきた図１〜図１１の例と同様の構成を有するようにした。ただし、単位プリズム７０の配列方向ｄ３と導光板３０における導光方向ｄ１が平行となるようにした。そして、光学シート６０の単位プリズム７０および面光源装置２０は、ピーク輝度が正面方向に生じるように設計した。一方、表示パネル１５は、市販されている自動車に搭載される表示装置１０に組み込まれていた液晶表示パネルを採用した。したがって、各表示装置１０から出光する光は、正面方向ピーク輝度を有する。
【００８９】
表示装置１０のサンプル１〜５間において、面光源装置２０および表示パネル１５は共通とした。各サンプルにおいて、反射シート２８の材料や表面形状等を変更することにより、拡散反射率を変更した。具体的には、反射シート２８の拡散反射率を、１．６％（サンプル１）、１．７％（サンプル２）、１８．３％（サンプル３）、２０％（サンプル４）、８４．２％（サンプル５）とした。なお、サンプル５は、反射シート２８として従来の白色の散乱反射シートを用いている。
【００９０】
図１２ｂは、図１２ａの正面方向から４０°傾斜した方向付近での相対輝度を拡大して示すグラフである。なお、図１２ｂにおいて、サンプル５の相対輝度は、大きすぎるため現れていない。図１２ｂから理解されるように、各サンプルの正面方向から角度４０°傾斜した方向での相対輝度は、サンプル１で５．３０％、サンプル２で５．３７％、サンプル３で６．４７％、サンプル４で７．１２％、サンプル５で１７．５％であった。各サンプルから理解されるように、サンプル３とサンプル４の比較から、反射シート２８の拡散反射率が１８．３％以下である場合に、正面方向から角度４０°傾斜した方向での相対輝度を６．５％以下とすることができる。
【００９１】
また、図１３ｂは図１３ａの最大輝度付近での絶対輝度を拡大して示すグラフである。なお、図１３ｂにおいて、サンプル１とサンプル２の絶対輝度は一致して示されている。図１３ｂから理解されるように、サンプル３とサンプル５を比較すると、サンプル３において正面方向での輝度が１７％上昇していた。
【００９２】
また、図１４に、拡散シートの拡散反射率と光学密着の関係が表されている。光学密着してしまったものには×を、光学密着しなかったものには○を、それぞれ付している。図１４に示すように、拡散反射率が１．７％未満となるサンプル１においては、反射シート２８と導光板３０とが光学密着してしまう。サンプル１とサンプル２の比較において、反射シート２８の拡散反射率が１．７％未満である場合に、輝度むらが生じたり、第１方向ｄ１の他側での明るさが一側より低下したりする問題が生じた。これは、サンプル１においては、反射シート２８と導光板３０とが光学密着して、光学密着を生じた部分で反射した光が本来の光学設計外の方向に出射したためであると考えられる。
【００９３】
本実施の形態に係る表示装置１０は、種々の用途に用いることができるが、とりわけ、車載表示装置に表示装置１０を用いることが想定されている。車両への搭乗者は、車載表示装置を概ね一定の方向から観察することになるが、通常、車両内スペースの制約により、搭乗者による車載表示装置の観察方向は、当該表示装置の表示面への法線方向に対して傾斜した方向となる。したがって、光が正面方向以外の方向に強く出射することが望まれる。すなわち、簡易な構成により輝度ピークが生じる方向を正面方向以外の方向に設定することができる本実施の形態の表示装置１０及び面光源装置２０は、車載表示装置、より具体的には、表示装置を用いた車載センターコンソール、表示装置を用いた車載バックミラー、表示装置を用いた車載サイドミラー、インストルメント・パネル等にとりわけ好適である。画像光の出射方向を制御することで、光によるフロントガラス等への画像の映り込みが搭乗者に観察されることを防止しながら、搭乗者に向けて画像を明るく表示することができる。
【００９４】
しかしながら、本実施の形態に係る表示装置１０は、自動車に限定されず、乗り物の内部から外部を観察する場合等、ガラス等の透明な板を介した観察を行う場所に配置されることが、想定され得る。
【００９５】
以上のように、本実施の形態の表示装置１０は、表示面１１を有する車載の表示装置であって、表示パネル１５と、表示パネル１５の背面側に配置され表示パネル１５を背面側から面状に照らす面光源装置２０と、表示パネル１５を面光源装置２０に接合する粘着層１７と、を備え、表示面１１から出光する光の全方向における輝度の角度分布において、ピーク輝度が得られる方向から４０°傾斜した少なくともいずれかの方向での輝度が、ピーク輝度の６．５％以下となっている。このような表示装置１０によれば、少なくとも一つの方向、典型的には第１方向ｄ１において、ピーク輝度が得られる方向に十分に集光されており、ピーク輝度が得られる方向から第１方向ｄ１における一側に４０°以上傾斜した方向においては、光が視認されにくくなる。すなわち、光源の出力を増大させることなく、ピーク輝度を上昇させることができる。言い換えると、光源光の利用効率を改善することで所望の方向での輝度を効果的に改善することができる。
【００９６】
また、本実施の形態の表示装置１０は、表示面１１を有する車載の表示装置であって、表示パネル１５と、表示パネル１５の背面側に配置され、表示パネル１５を背面側から面状に照らす面光源装置２０と、表示パネル１５を面光源装置２０に接合する粘着層１７と、を備え、面光源装置２０は、出光面３１と出光面３１に対向して配置された裏面３２と出光面３１および裏面３２の間に位置する側面とを有する導光板３０と、側面の一部に対面して配置された光源２４と、導光板３０の出光面３１に対面して配置された光学シート６０と、導光板３０の裏面３２に対面するよう配置された反射シート２８と、有し、反射シート２８の拡散反射率は、１８．３％以下である。このような表示装置１０によれば、十分に高いピーク輝度を得ることができるとともに、ピーク輝度が得られる方向からずれた方向での輝度を大きく低下させることができる。すなわち、光源の出力を増大させることなく、ピーク輝度を上昇させることができる。言い換えると、光源光の利用効率を改善することで所望の方向での輝度を効果的に改善することができる。
【００９７】
さらに、本実施の形態の表示装置１０において、導光板３０の裏面３２に対面する側の反射シート２８の表面が凹凸形状になっており、反射シート２８の拡散反射率は、１．７％以上である。このような表示装置１０によれば、反射シート２８の表面凹凸形状によって、反射シート２８と導光板３０とが光学的に密着することを避けることができる。したがって、輝度むらが生じたり、光源部から遠い領域の明るさが低下したりすることを避けることができる。
【００９８】
また、本実施の形態の表示装置１０において、反射シート２８は、金属層２８ｂと、金属層２８ｂに積層されたマット層２８ｃと、を有し、金属層２８ｂは、銀を含み、マット層２８ｃは、金属層２８ｂよりも導光板３０の側に位置している。このような表示装置１０によれば、反射シート２８が従来の白色の散乱反射シートと比較して、ピーク輝度を格段に上昇させることができる。
【００９９】
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いるとともに、重複する説明を省略する。
【０１００】
例えば、図１５に示すように、導光板３０の裏面３２を、第１方向ｄ１における一側から他側に向かうにつれて出光面３１に接近するように傾斜させてもよい。すなわち、接続面３９が正面方向ｎｄを法線方向とする面に対して傾斜していてもよい。この場合において、傾斜面３７の傾斜角θｘ、言い換えると傾斜面３７の正面方向ｎｄを法線方向とする面に対する角度は、接続面３９の正面方向ｎｄを法線方向とする面に対する傾斜角θｙより大きくなっている。このような導光板３０によれば、傾斜面３７だけでなく接続面３９においても出光面３１での入射角を小さくすることができ、出光面３１での光の出光を促進する。したがって、入光面３３から入光した光を出光面３１から効率よく出光させることができ、反対面３４から出光してしまう光を減少させることができる。すなわち、光を効率よく利用することができる。また、傾斜面３７だけでなく、接続面３９において反射した光も、出光面３１及び裏面３２への入射角度が小さくなり、導光板３０の出光面３１および裏面３２から、出射し得るようになる。したがって、光を出光面３１から効率よく出光させることができる。
【０１０１】
導光板３０の裏面３２の傾斜に伴い、反射シート２８の表面も傾斜するよう設けられる。図１５に示す例では、反射シート２８の表面が、導光板３０の裏面３２と平行となるよう設けられている。したがって、反射シート２８は、全体的に、相対的に厚み方向の辺が他の辺よりも小さい台形である柱状の部材として構成されている。あるいは、図示は省略しているが、反射シート２８が厚み方向の辺が他の辺よりも小さい直方体状の部材として構成されており、反射シート２８の全体が導光板３０の裏面３２と平行となるよう傾斜して設けられてもよい。
【０１０２】
上述した実施の形態において、光学シート６０の単位プリズム７０の一例について説明したが、この例に限られず、種々の変更が可能である。例えば、複数の単位プリズム７０が、互いに異なる構成を有していてもよい。また、第２プリズム面７２が、二つの要素面７３を含む例を示したがこれに限られず、第２プリズム面７２が、三以上の要素面７３を含んでいてもよい。さらに、単位プリズム７０の主切断面における断面形状が、図８に示された具体例に限られず、例えば、五角形形状、或いは六角形形状等であってもよい。
【０１０３】
また、光学シート６０の単位プリズム７０によって形成される面とは反対側となる出光面６１に、光拡散粒子を有する光拡散層（マット層）が形成されていてもよい。また、粘着層１７が、光拡散粒子を有することによって、光拡散機能を有していてもよい。
【０１０４】
さらに、上述した実施の形態において、導光板３０の単位光学要素５０の一例について説明したが、この例に限られず、種々の変更が可能である。例えば、導光板３０に含まれる複数の単位光学要素５０が、互いに異なる構成を有していてもよい。また、単位光学要素５０の主切断面における断面形状が、図６に示された具体例に限られず、例えば三角形形状や半円状であってもよい。
【０１０５】
図示された例において、単位光学要素５０の主切断面における外輪郭５１（出光面３１に対応する）は、当該外輪郭が基部４０の一側面４１に対してなす角度である出光面角度θａが、基部４０から最も離間した単位光学要素５０の外輪郭５１上の先端部５２ａから基部４０に最も接近した単位光学要素５０の外輪郭５１上の基端部５２ｂへ向けて大きくなるよう、変化していた。しかしながら、出光面角度θａが、外輪郭５１上の先端部５２ａから基端部５２ｂへ向けて、小さくなるように変化してもよい。また、単位光学要素５０が、基部４０から突出した凸部として形成されている例を示したが、この例に限られず、凹んだ凹部として形成されていてもよい。さらに、凸部や凹部は、曲面に形成されていてもよいし、曲面と平坦面とを含んで形成されていてもよい。あるいは、単位光学要素５０は、プリズムとして形成されていてもよい。また、各単位光学要素５０の先端部または基端部の間に平坦面が設けられていてもよい。
【０１０６】
また、図示は略すが、面光源裝置２０に於いて、光学シート６０の出光面（図１に於いては面光源裝置の発光面２１）と液晶表示パネル１５の下偏光板１４との間に、公知の反射型偏光子（偏光分離膜とも呼稱される）を配置してもよい。斯かる形態に於いては、光学シート６０から出光する光のうち、特定偏光成分のみ透過し、該特定偏光成分と直交する偏光成分は吸收せずに反射する。該反射型偏光子から反射された偏光成分は反射シート２８等によって反射して偏光解消（特定偏光成分と該特定偏光成分と直交する偏光成分とを両方含んだ状態）した上で、再度、反射型偏光子に入射する。よって、再度入射する光のうち特定偏光成分に変換されていた偏光成分は反射型偏光子を透過し、該特定偏光成分と直交する偏光成分は再度反射される。以下、同上の過程を繰り返す事により、当初光学シート６０から出光した光の７０〜８０％程度が該特定偏光成分となった光源光として出光される。従って、該反射型偏光子の特定偏光成分（透過軸成分）の偏光方向と液晶表示パネル１５の下偏光板１４の透過軸方向とを位置させることにより、面光源裝置２０からの出射光は全て液晶表示パネル１５で画像形成に利用可能となる。其の為、光源２４から投入される光エネルギーが同じであっても、該反射型偏光子を未配置の場合に比べて、より高輝度の画像形成が可能となり、又光源２４（更には其の電源の）エネルギー利用效率も向上する。
【０１０７】
さらに、図示は略すが、面光源装置２０が、光を等方拡散または異方拡散させる光拡散シートを含むようにしてもよい。光拡散シートは、一例として、面光源装置の最も出光側に配置され、発光面２１を形成するようにしてもよい。
【０１０８】
なお、以上において上述した実施の形態に対するいくつかの変形例を説明してきたが、当然に、複数の変形例を適宜組み合わせて適用することも可能である。
【産業上の利用分野】
【０１０９】
以上に説明した表示装置１０は、車載表示装置への適用以外にも、以下の用途に適用することができる。
・現金自動預け払い機（ＡＴＭ）の表示装置及び当該表示装置の面光源装置への適用
ＡＴＭの操作時に、横からの覗き見を防止することができる。
・デジタルサイネージへの適用
光学シートの単位プリズムの向きを変化させることで、デジタルサイネージ（電子看板、電子広告板、電子掲示板等とも呼稱される）の設置場所や視聴者の位置に好適な光学特性を得ることができる。斯かる好適な光学特性とは、例えば、デジタルサイネージの表示面から想定される視聽者に向かう方向に出射光の輝度ピーク方向を合致させ、又輝度の角度分布を想定される視聽者の分布する範囲を包含させる様に設定することが挙げられる。
・電車車内の表示装置への適用
視聴者は表示装置を下方から観察することになるので、視聴者（設置位置よりも下方向）に向けて画像を表示することが好ましい。また、中吊り広告の位置に適用する場合には、電車は細長いことから、横方向への視野角の広がりは不要となる。したがって、視聴者に向けて効率的に画像を表示することができる。
・警備室等の表示装置への適用
多数の表示装置の各々を、中央に位置する視聴者（警備員）に合わせた出光特性にできる。
・テーブルディスプレイへの適用
ディスプレイが内蔵された机に対し、視聴者はいつも同じ相対位置に位置する。したがって、視聴者の位置に合わせた出光特性に設定できる。
・アミューズメント施設への適用
例えばゲームセンターに設置されるゲーム機器の表示装置等、設置位置と使用者の位置関係が通常であれば一定となる場合に、表示面から特定の使用者（観察者）に向かう方向に出射光の輝度ピーク方向を合致させる光学特性にできる。
・照明への適用
間接照明やデスク用ライト等、照明の用途や照明の設置位置等に合わせて出光特性を適宜設定することができる。
・自動改札の表示装置、及び当該表示装置の面光源装置への適用
改札通過者の目線の位置が限られるので、出射光の輝度ピーク方向をその位置（乃至は目線の方向）に合わせた出光特性とすることが望ましい。
・腕時計用表示装置への適用
正面から見るためには腕を捻る必要があり、多くの場合腕時計の斜め下方向から観察される。其の為、出射光の輝度ピーク方向と輝度角度分布とを、通常多用される腕時計の位置と観察者の目の位置とを結ぶ方向の範囲を包含するように設定する。また、日光下で観察されることも多いので、高い輝度を有していることが望ましい。
・その他の例として、飛行機等のシート裏の表示装置、飛行機等の安全設備の説明等に用いられる表示装置、観光バスなどの天井付近の表示装置、空港や駅などの運行案内の表示装置、複数画面（例えば、水平面内の画面と鉛直面内の画面）を有するゲーム機の少なくとも一方の表示装置、液晶操作パネル（キーボード等）等への適用も可能である。
【符号の説明】
【０１１０】
１０    表示装置
１１    表示面
１２    液晶層
１３    上偏光板
１４    下偏光板
１５    液晶表示パネル
１７    粘着層
２０    面光源装置
２１    発光面
２４    光源
２５    発光体
２８    反射シート
２８ａ  支持体
２８ｂ  金属層
２８ｃ  マット層
２８ｃ１  バインダー樹脂
２８ｃ２  粒子
３０    導光板
３１    出光面
３２    裏面
３３    入光面
３４    反対面
３５    傾斜面
３５ａ  第１面
３５ｂ  第２面
３６    傾斜面
３６ａ  第１面
３６ｂ  第２面
３７    傾斜面
３８    段差面
３９    接続面
４０    基部
４１    一側面
４２    他側面
５０    単位光学要素
５１    外輪郭
５２ａ  先端部
５２ｂ  基端部
６０    光学シート
６１    出光面
６５    本体部
７０    単位プリズム
７１    第１プリズム面
７２    第２プリズム面
７３    要素面
７３ａ  第１要素面
７３ｂ  第２要素面
７５ａ  先端部
７５ｂ  基端部
【図１】
2018194795.tif 000003
【図２】
2018194795.tif 000004
【図３】
2018194795.tif 000005
【図４】
2018194795.tif 000006
【図５】
2018194795.tif 000007
【図６】
2018194795.tif 000008
【図７】
2018194795.tif 000009
【図８】
2018194795.tif 000010
【図９】
2018194795.tif 000011
【図１０】
2018194795.tif 000012
【図１１】
2018194795.tif 000013
【図１２ａ】
2018194795.tif 000014
【図１２ｂ】
2018194795.tif 000015
【図１３ａ】
2018194795.tif 000016
【図１３ｂ】
2018194795.tif 000017
【図１４】
2018194795.tif 000018
【図１５】
2018194795.tif 000019